(57)【要約】【課題】高燃焼状態を良好に保つことができ、又、低燃焼域での燃焼を、複雑な機構を用いることなく、簡単な構造で改善して、臭いやススの発生を抑えることができ、又、低燃焼域での燃焼に伴なう燃油量を低減して、出湯量が少ない場合の給湯機の性能向上が得られるようにした比例制御バーナの提供。【解決手段】小径燃焼筒部１１と大径燃焼筒部１０で２段に形成された燃焼筒１を備え、送風機４からの空気通路５を、小径燃焼筒部に導く第１通気路５ａと、大径燃焼筒部に導く第２通気路５ｂとに区画し、前記空気通路５の入口部５１に設けた風量制御用ダンパ６を、最低燃焼時において第２通気路を全閉させた全閉位置と、最高燃焼時において第２通気路を全開させた全開位置と、中間燃焼時において第２通気路を全閉位置と全開位置との間の任意の中間位置に位置決め可能に形成した。【選択図】　　　図１
2004019974.tif 000002
【特許請求の範囲】
【請求項１】
外筒と燃焼筒の間に送風機により通風される空気通路が形成され、
前記燃焼筒は、燃油噴霧ノズルを備えた小径燃焼筒部と、この小径燃焼筒部に連通した大径燃焼筒部で２段に形成され、
前記空気通路内には、前記送風機からの通風を小径燃焼筒部に導く第１通気路と、前記送風機からの送風を大径燃焼筒部に導く第２通気路とに区画する仕切壁が形成され、
前記空気通路の入口部に、風量制御用ダンパが設けられ、
この風量制御用ダンパは、▲１▼燃油噴霧ノズルからの噴霧燃油を小径燃焼筒部のみで燃焼させる低燃焼時において、送風機からの通風を殆ど第１通気路から小径燃焼筒部に導くように前記第２通気路を全閉させた全閉位置と、▲２▼燃油噴霧ノズルからの噴霧燃油を小径燃焼筒部で燃焼させると共に大径燃焼筒部で燃焼させる高燃焼時において、送風機からの通風を第１通気路から小径燃焼筒部に導くと共に、前記第２通気路から大径燃焼筒部に導くように当該第２通気路を全開させた全開位置と、▲３▼燃油噴霧ノズルからの噴霧燃油を小径燃焼筒部で燃焼させると共に大径燃焼筒部で調整燃焼させる中間燃焼時において、送風機からの通風を第１通気路から小径燃焼筒部に導くと共に、前記第２通気路から大径燃焼筒部に任意の開度で絞り調整して導くように全閉位置と全開位置との間の任意の中間位置に位置決め可能に形成されていることを特徴とする比例制御バーナ。
【発明の詳細な説明】
【０００１】
【発明の属する技術分野】
本発明は、家庭用給湯機等に設備され、石油等の燃油を燃料とした比例制御バーナに関する。
【０００２】
【従来の技術】
家庭用給湯機等に設備される比例制御バーナとしては、例えば、実開昭６３−１１６７１９号公報に記載されたものが知られている。
比例制御バーナでは、燃焼の高低に応じて燃油噴霧ノズルに供給する燃油量（石油量）及び燃焼筒に供給する空気量を増減することになる。
従来の比例制御バーナでは、燃焼筒が、燃油噴霧ノズルを備えた小径燃焼筒部と、この小径燃焼筒部に連通した大径燃焼筒部で２段に形成され、燃油量の少ない低燃焼域から燃油量の多い高燃焼域まで、小径燃焼筒部と大径燃焼筒部を含めた燃焼筒全体で燃焼させていた。
【０００３】
このように、燃焼筒に大径燃焼筒部を設けて燃焼部全体の容積を広げると、高燃焼状態を良好に保つことができるが、低燃焼時に、空気量を絞るだけで燃焼筒全体に空気を供給すると、空燃比がずれてしまったり、燃油と空気の混合がうまくいかず、この結果、不完全燃焼状態になって、臭いやススが発生し、良好な燃焼が得られないという問題が生じる。
【０００４】
【発明が解決しようとする課題】
本発明は、このような従来の問題を解決するためになされたもので、燃焼筒を、小径燃焼筒部と大径燃焼筒部で２段に形成して、燃焼部全体の容積を広げることにより、高燃焼状態を良好に保つことができ、更に、低燃焼域での燃焼を、複雑な機構を用いることなく、簡単な構造で改善して、臭いやススの発生を抑えることができ、又、低燃焼域での燃焼に伴なう燃油量を低減して、出湯量が少ない場合の給湯機の性能向上が得られるようにした比例制御バーナを提供することを課題としている。
【０００５】
【課題を解決するための手段】
上記課題を解決するために、本発明の比例制御バーナは、
外筒と燃焼筒の間に送風機により通風される空気通路が形成され、
前記燃焼筒は、燃油噴霧ノズルを備えた小径燃焼筒部と、この小径燃焼筒部に連通した大径燃焼筒部で２段に形成され、
前記空気通路内には、前記送風機からの通風を小径燃焼筒部に導く第１通気路と、前記送風機からの送風を大径燃焼筒部に導く第２通気路とに区画する仕切壁が形成され、
前記空気通路の入口部に、風量制御用ダンパが設けられ、
この風量制御用ダンパは、▲１▼燃油噴霧ノズルからの噴霧燃油を小径燃焼筒部のみで燃焼させる低燃焼時において、送風機からの通風を殆ど第１通気路から小径燃焼筒部に導くように前記第２通気路を全閉させた全閉位置と、▲２▼燃油噴霧ノズルからの噴霧燃油を小径燃焼筒部で燃焼させると共に大径燃焼筒部で燃焼させる高燃焼時において、送風機からの通風を第１通気路から小径燃焼筒部に導くと共に、前記第２通気路から大径燃焼筒部に導くように当該第２通気路を全開させた全開位置と、▲３▼燃油噴霧ノズルからの噴霧燃油を小径燃焼筒部で燃焼させると共に大径燃焼筒部で調整燃焼させる中間燃焼時において、送風機からの通風を第１通気路から小径燃焼筒部に導くと共に、前記第２通気路から大径燃焼筒部に任意の開度で絞り調整して導くように全閉位置と全開位置との間の任意の中間位置に位置決め可能に形成されている構成とした。
【０００６】
【発明の実施の形態】
以下、本発明の実施の形態を図面に示す実施例より説明する。尚、本発明の具体的な構成は、以下の実施の形態に限定されるものではない。
図面は本発明の一実施例に係る比例制御バーナを示し、図１は風量制御用ダンパの全開状態を示す比例制御バーナの概略断面図、図２は風量制御用ダンパの全閉状態を示す比例制御バーナの概略断面図である。
【０００７】
本実施例の比例制御バーナは、家庭用給湯機等に設備され、石油を燃料として燃焼する。
図において、１は燃焼筒で、胴部に多数の空気穴１０ａが形成された下段の大径燃焼筒部１０と、胴部に多数の空気穴１１ａが形成され、上面に噴霧口１１ｂが形成された上段の小径燃焼筒部１１とで上下２段に形成されている。
【０００８】
前記燃焼筒１の外方及び上方を覆うように外筒２が設けられ、この外筒２の上面には、前記小径燃焼筒部１１の噴霧口１１ｂに望むように燃油噴霧ノズル３が取り付けられている。
この燃油噴霧ノズル３としては、戻り式圧力噴霧ノズルが好適に用いられ、その燃油噴霧量は、低燃焼時には、前記小径燃焼筒部１１で燃焼が生じるように調整され、高燃焼時には、前記小径燃焼筒部１１及び大径燃焼筒部１０で燃焼が生じるように調整され、低燃焼と高燃焼の中間燃焼時には、小径燃焼筒部１１で燃焼させると共に大径燃焼筒部１０で調整燃焼させるように制御されている。
【０００９】
前記外筒２と燃焼筒１の間には、送風機４により通風される空気通路５が形成されている。
この空気通路５内には、前記送風機４からの通風を小径燃焼筒部１１に導く第１通気路５ａと、前記送風機４からの通風を大径燃焼筒部１０に導く第２通気路５ｂとに区画する仕切壁５０が形成されている。
【００１０】
前記空気通路５の入口部５１には、風量制御用ダンパ６が設けられている。
この風量制御用ダンパ６は、その全閉位置（図２実線で示す位置）で、第２通気路５ｂを長片６０でほぼ完全に塞ぐと共に、第１通気路５ａを短片６１で絞るように軸着されている。
そして、前記第２通気路５ｂを全閉して送風機４からの通風を殆ど第１通気路５ａから小径燃焼筒部１１に導くようにした全閉位置（図２実線で示す位置）と、前記第２通気路５ｂを全開して送風機４からの通風を第１通気路５ａから小径燃焼筒部１１に導くと共に、前記第２通気路５ｂから大径燃焼筒部１０に導くようにした全開位置（図１に示す位置）と、この全閉位置と全開位置の間の任意の中間位置に位置決め可能に形成されている。
なお、この風量制御用ダンパ６は、図示省略したステッピング式電動モータ等のアクチュエータにより回動する。
【００１１】
比例制御バーナでは、燃焼の高低に応じて燃油噴霧ノズル３に供給する燃油量及び燃焼筒１に供給する空気量を増減する必要がある。
高燃焼に際しては、小径燃焼筒部１１及び大径燃焼筒部１０で燃焼させるように燃油噴霧ノズル３から多量の燃油を噴霧させることから、送風機４から小径燃焼筒部１１及び大径燃焼筒部１０に空気を供給する必要がある。
そこで、高燃焼域での燃焼時には、前記風量制御用ダンパ６を全開位置に位置決めさせるもので、この全開状態では、送風機４からの通風が第１通気路５ａにより導かれて小径燃焼筒部１１に供給されると共に、前記第２通気路５ｂにより導かれて大径燃焼筒部１０に供給されるため、高燃焼状態で燃焼させることができるし、又、燃焼筒１に大径燃焼筒部１０を設けて燃焼部全体の容積を広げているため、その高燃焼状態を良好に保つことができる。
【００１２】
低燃焼に際しては、小径燃焼筒部１１で燃焼させるように燃油噴霧ノズル３から少量の燃油を噴霧させることから、送風機４から小径燃焼筒部１１に空気を供給すれば足り、大径燃焼筒部１０に空気を供給すれば、逆に空気過多になり、不完全燃焼や刺激臭の原因になる。
そこで、最低燃焼域での燃焼時には、前記風量制御用ダンパ６を全閉位置に位置決めさせるもので、この全閉状態では、第２通気路５ｂが閉鎖されて、送風機４からの通風が第１通気路５ａにより導かれて小径燃焼筒部１１にのみ供給されるため、空気過多による不完全燃焼を解消して低燃焼状態での燃焼を改善することができる。
又、低燃焼域での燃焼を安定させるには、第１通気路５ａの通気口面積を絞ると共に、送風機４の回転数を高めにする必要がある。これは、排気口（図示せず）に風圧がかかった場合などを考慮するためであるが、本実施例では、全閉状態において風量制御用ダンパ６の短片６１により第１通気路５ａの通気口面積を絞るようにしているため、低燃焼域での燃焼を安定させることができる。
また、このように、第１通気路５ａの風量調節を風量制御用ダンパ６の短片６１で行い、第２通気路５ｂの風量調節を風量制御用ダンパ６の長片６０で行なうようにすると、低燃焼時の風量の絞り込みと、高燃焼時の風量の確保ができ、ターンダウンを大きくすることができる。
【００１３】
低燃焼域と高燃焼域との中間燃焼域での燃焼に際しては、小径燃焼筒部１１で燃焼させると共に大径燃焼筒部１０で調整燃焼させるように燃油噴霧ノズル３から燃油を噴霧させることから、その燃油噴霧量に対応して送風機４から小径燃焼筒部１１に空気を供給すると共に、大径燃焼筒部１０へは空気量を調整して供給する必要がある。
そこで、中間燃焼域での燃焼時には、前記風量制御用ダンパ６を中間位置に位置決めさせるもので、この中間状態では、送風機４からの通風が第１通気路５ａにより導かれて小径燃焼筒部１１に供給されると共に、第２通気路５ｂが風量制御用ダンパ６により絞り調整された状態で大径燃焼筒部１０に供給されるため、大径燃焼筒部１０へは調整燃焼に応じた空気を供給することができる。
【００１４】
即ち、本実施例の比例制御バーナは、大径燃焼筒部１０に空気を導く第２通気路５ｂが、風量制御用ダンパ６によって、高燃焼域では全開状態になり、低燃焼状態では全閉状態になり、中間燃焼域では燃油噴霧量に応じて絞り状態になるように制御されたものである。
【００１５】
【発明の効果】
以上説明してきたように、本発明の比例制御バーナにあっては、燃焼筒を、小径燃焼筒部と大径燃焼筒部で２段に形成して、燃焼部全体の容積を広げているため、高燃焼状態を良好に保つことができる。
また、複雑な機構を用いることなく、空気通路を第１通気路と第２通気路とに区画すると共に、風量制御用ダンパを設けるという簡単な構造で低燃焼域での燃焼を改善し、排ガスの刺激臭やススの発生を抑えることができる。
【図面の簡単な説明】
【図１】風量制御用ダンパの全開状態を示す比例制御バーナの概略断面図である。
【図２】風量制御用ダンパの全閉状態を示す比例制御バーナの概略断面図である。
【符号の説明】
１　燃焼筒
１０　大径燃焼筒部
１０ａ　空気穴
１１　小径燃焼筒部
１１ａ　空気穴
１１ｂ　噴霧口
２　外筒
３　燃油噴霧ノズル
４　送風機
５　空気通路
５ａ　第１通気路
５ｂ　第２通気路
５０　仕切壁
５１　入口部
６　風量制御用ダンパ
６０　長片
６１　短片
【図１】
2004019974.tif 000003
【図２】
2004019974.tif 000004